(57)【特許請求の範囲】
【請求項１】
潮解性除湿剤と、該潮解性除湿剤を封入する包装体と、該包装体を収容する上面が開口された透明または半透明の容器とからなる除湿器において、前記包装体が透湿防水性フィルムと内部を肉眼で透視可能な非透湿性フィルムとからなるとともに、前記包装体が少なくとも１個以上の角部を有する立体形状で、かつ、前記透湿防水性フィルムが前記容器の上面開口部分に表出し、前記非透湿性フィルムが下側に垂れ下がるように該包装体の少なくとも１個の角部が前記容器の底部に向けて収納されていることを特徴とする除湿器。
【請求項２】
上記少なくとも１個以上の角部を有する立体形状の包装体は、三角錐、四角錐、立方体、直方体の中から選ばれた立法形状の包装体であることを特徴とする請求項１記載の除湿器。
【請求項３】
上記潮解性除湿剤を封入する包装体は、３つの辺の周縁をシールした周縁部と、１つの辺だけが開口された開口部とを有する少なくとも一部が透湿防水性フィルムからなる２枚重ねの包装体であって、前記開口部の両端部分を内側へ互いに引いて前記開口部の周縁部を重ね合わせるとともに、前記周縁部に対して直交状態で重ね合わせてシールした包装体であることを特徴とする請求項１または２記載の除湿器。
【請求項４】
上記潮解性除湿剤は、塩化カルシウム、塩化マグネシウム、塩化リチウム、臭化リチウム、酢酸カリウム、リン酸ナトリウム、ウルトラリン酸ナトリウムの中から選ばれた１種または２種以上の潮解性除湿剤であることを特徴とする
請求項１，２または３記載の除湿器。
【請求項５】
上記包装体は、少なくとも一部の稜線部に、ミシン目または半切り込みによって除湿剤潮解液の取出口切除線を形成したことを特徴とする請求項１，２，３または４記載の除湿器。
【請求項６】
上記包装体は、少なくとも一部の稜線部を波型カットによって除湿剤潮解液の取出口切除線を形成したことを特徴とする請求項１，２，３または４記載の除湿器。
【発明の詳細な説明】
【技術分野】
【０００１】
本発明は湿気を取る除湿器に関するものであり、特に、食品庫、衣装タンス、家具、室内等で利用される除湿器に関するものである。
【背景技術】
【０００２】
従来、塩化カルシウム、塩化マグネシウム等の潮解性除湿剤を用いて押入やタンス等の収納空間の湿気を取り湿度を低下させる簡易タイプの除湿器が市販され、広く普及している。図９及び図１０に示す除湿器はその代表的なもので、これらの除湿器は特許文献１でも知ることができる。
【０００３】
図９に示す従来の除湿器１は、半透明の合成樹脂からなる蓋体２と容器本体３から構成され、蓋体２には複数の通気孔４，４…が設けられている。容器本体３は、上下中間部に複数の小孔を有する仕切部材５が収納配置され、該仕切部材５により容器本体３内を上方の潮解性除湿剤収容部６と下方の潮解性除湿剤の潮解液貯留部７に隔成されている。
【０００４】
前記潮解性除湿剤収容部６には、塩化カルシウム、塩化マグネシウム等の顆粒状の潮解性除湿剤８が収納され、潮解性除湿剤収容部６の上部は透湿防水性シート９が熱溶着されて閉塞されている。そして、透湿防水性シート９上には、アルミシート等の非透湿性シート１０が剥離可能に熱溶着等で密封されている。
【０００５】
そして、除湿器１は、使用に際して、非透湿性シート１０を取り除いた後、押入、タンス等の目的箇所に設置することで、該押入やタンス等の空間中の湿気が透湿防水性シート９を透過して収容された潮解性除湿剤８により吸収される。また、容器本体３が潮解液で一杯になるか、潮解性除湿剤８が無くなるのを目安に、蓋体２及び容器本体３がそのまま廃棄される。
【０００６】
図１０に示す従来の除湿器１１は、半透明の合成樹脂からなる蓋体１２と容器本体１３から構成され、蓋体１２には複数の通気孔１４，１４…が設けられている。容器本体１３には、該容器本体１３に収容される潮解性除湿剤１５を収納する上面通気の内容器１６が収容配置されている。
【０００７】
前記内容器１６は、塩化カルシウム、塩化マグネシウム等の顆粒状の潮解性除湿剤１５を収納する多孔状内袋１７と潮解液を収納する水溜め外袋１８との二重袋である。また、内容器１６の上部は透湿防水性シート１９が熱溶着されて閉塞されている。なお、透湿防水性シート１９上には、アルミシート等の非透湿性シート２０が剥離可能に熱溶着等で密封されている。
【０００８】
そして、除湿器１１は、使用に際して、非透湿性シート２０を取り除いた後、押入、タンス等の目的箇所に設置することで、該押入やタンス等の空間中の湿気が透湿防水性シート１９を透過して収容された潮解性除湿剤１５により吸収される。また、水溜め外袋１８が潮解液で一杯になるか、潮解性除湿剤１５が無くなるのを目安に、蓋体１２と容器本体１３を残して詰替用の内容器１６がそのまま廃棄される。
【特許文献１】特開平２００１−１４９７３４号公報（図１０、図１１参照）。
【発明の開示】
【発明が解決しようとする課題】
【０００９】
上述したように、図９に示すタイプの除湿器では使用後、容器毎全てが廃棄され、図１０に示すタイプの除湿器では詰替用容器等が廃棄されるので、いずれのタイプも廃棄される部材が多く、ゴミ問題として大きな課題が生じる。しかも、該容器の使用材料はプラスチックであり、また多くの構成部品点数から構成されているので、その廃棄処理が社会問題となっている今日、益々そのプラスチック使用の低減化や構成部材点数の低減化が要求されることが予想される。
【００１０】
また、従来の除湿器は、吸湿初期において、潮解性除湿剤が水分を吸湿するとしても、潮解性除湿剤の内部に結晶水として保持したままで除湿剤潮解液としては下方に垂れない。このため、結晶水として保持できなくなるまで、容器や水溜め外袋の内部下方部に潮解液は溜まらないので、吸湿初期には目視による吸湿効果の確認ができないという問題が生じていた。このことは、特に、冬時期の低温時において顕著であった。
【００１１】
さらに、従来の除湿器は、構造が煩雑であり、作業にも手間がかかり、コスト的にも不利になる問題が生じていた。
【００１２】
そこで、廃棄物を可及的に減少させることができるとともに、吸湿初期の目視による吸湿効果が容易に確認でき、かつ、構造が簡単な除湿器を提供するために解決すべき技術課題が生じてくるのであり、本発明はこの課題を解決することを目的とする。
【課題を解決するための手段】
【００１３】
本発明の前記並びにその他の目的と新規な特徴は次の説明を添付図面と照らし合わせて読むと、より明らかになるであろう。但し、図面はもっぱら解説のためのものであって、本発明の技術的範囲を限定するものではない。
【００１４】
本発明は上記目的を達成するために提案されたものであり、請求項１記載の発明は、潮解性除湿剤と、該潮解性除湿剤を封入する包装体と、該包装体を収容する上面が開口された透明または半透明の容器とからなる除湿器において、前記包装体が透湿防水性フィルムと内部を肉眼で透視可能な非透湿性フィルムとからなるとともに、前記包装体が少なくとも１個以上の角部を有する立体形状で、かつ、前記透湿防水性フィルムが前記容器の上面開口部分に表出し、前記非透湿性フィルムが下側に垂れ下がるように該包装体の少なくとも１個の角部が前記容器の底部に向けて収納されている除湿器を提供する。
【００１５】
この構成によれば、除湿剤潮解液が溜まった包装体だけをゴミとして廃棄することができる。また、除湿剤潮解液は、立体形状をした包装体内で容器の底部を向いている角部に向かって集まる。
【００１６】
請求項２記載の発明は、上記少なくとも１個以上の角部を有する立体形状の包装体は、三角錐、四角錐、立方体、直方体の中から選ばれた立法形状の包装体である請求項１記載の除湿器を提供する。
【００１７】
この構成によれば、三角錐、四角錐、立方体、直方体の中から選ばれた立体形状の角部を容器の底部に向けて、包装体を配置できる。
【００１８】
請求項３記載の発明は、上記潮解性除湿剤を封入する包装体は、３つの辺の周縁をシールした周縁部と、１つの辺だけが開口された開口部とを有する少なくとも一部が透湿防水性フィルムからなる２枚重ねの包装体であって、前記開口部の両端部分を内側へ互いに引いて前記開口部の周縁部を重ね合わせるとともに、前記周縁部に対して直交状態で重ね合わせてシールした包装体である除湿器を提供する。
【００１９】
この構成によれば、単純な作業で、立体形(三角錐)状の包装体を得ることができる。
【００２０】
請求項４記載の発明は、上記潮解性除湿剤は、塩化カルシウム、塩化マグネシウム、塩化リチウム、臭化リチウム、酢酸カリウム、リン酸ナトリウム、ウルトラリン酸ナトリウムの中から選ばれた１種または２種以上の潮解性除湿剤である除湿器を提供する。
【００２１】
この構成によれば、塩化カルシウム、塩化マグネシウム、塩化リチウム、臭化リチウム、酢酸カリウム、リン酸ナトリウム、ウルトラリン酸ナトリウムの中から選ばれた１種または２種以上の潮解性除湿剤を使用した除湿器が得られる。
【００２２】
請求項５記載の発明は、上記包装体は、少なくとも一部の稜線部に、ミシン目または半切り込みによって除湿剤潮解液の取出口切除線を形成した請求項１，２，３または４記載の除湿器を提供する。 
【００２３】
この構成によれば、ミシン目または半切り込み部分で包装体を切り裂くと、包装体に穴が空いて除湿剤潮解液が排出され、該包装体は小さなゴミになる。
【００２４】
請求項６記載の発明は、上記包装体は、少なくとも一部の稜線部を波型カットによって除湿剤潮解液の取出口切除線を形成した請求項１，２，３または４記載の除湿器を提供する。 
【００２５】
この構成によれば、波形カット部分で包装体を切り裂くと、包装体に穴が空いて除湿剤潮解液が排出され、該包装体は小さなゴミになる。
【発明の効果】
【００２６】
請求項１記載の発明は、除湿剤潮解液が溜まった包装体だけをゴミとして廃棄することができるので、従来のように容器ごと全部、または詰替用容器をゴミとして廃棄する必要がない。したがって、廃棄物を可及的に減少させることができる。また、除湿剤潮解液は容器の底部を向いている包装体の角部に向かって集まるので、該除湿剤潮解液が目視でき、吸湿初期における吸湿効果を容易に確認することができる。さらに、透湿防水性フィルムと潮解性除湿剤との距離が使用開始から使用終了まで常に近接しているので、吸湿速度を速くすることができる。
【００２７】
請求項２記載の発明は、１個以上の角部を有する立体形をした包装体形状をしているので、少ない包装量で多くの除湿剤潮解液を保持できる。例えば、塩化カルシウム等の潮解性除湿剤は使用終了時には約２倍量の除湿剤潮解液になる。そのため、包装体内にある程度の空間を確保する必要があり、従来の平面状形式の包装体においては、前記空間を作るために大きな包材を必要としていたが、本発明のように立体形状の包装体とした場合には立体的になるため、請求項１記載の発明の効果に加えて、少ない包装量で多くの除湿剤潮解液を保持できることになる。
【００２８】
請求項３記載の発明は、単純な作業で、立体形(三角錐)状の包装体を得ることができるため、請求項１または２記載の発明の効果に加えて、複雑な製造ラインを用いることなく、容易に製造することができる。
【００２９】
請求項４記載の発明は、塩化カルシウム、塩化マグネシウム、塩化リチウム、臭化リチウム、酢酸カリウム、リン酸ナトリウム、ウルトラリン酸ナトリウムの中から選ばれた１種または２種以上の潮解性除湿剤を使用することにより、請求項１，２または３記載の発明の効果に加えて、吸湿能力及び価格等の点において優れた除湿器が得られる。
【００３０】
請求項５記載の発明は、上記包装体は、少なくとも一部の稜線部に、ミシン目または半切り込みによって除湿剤潮解液の取出口切除線を形成しているので、該取出口切除線の部分で包装体を容易に切り裂くことができ、請求項１，２，３または４記載の発明の効果に加えて、包装体に溜まって除湿剤潮解液を容易に排出することができる。 
【００３１】
請求項６記載の発明は、上記包装体は、少なくとも一部の稜線部を波型カットによって除湿剤潮解液の取出口切除線を形成しているので、該取出口切除線の部分で包装体を容易に切り裂くことができ、請求項１，２，３または４記載の発明の効果に加えて、包装体内に溜まった除湿剤潮解液を容易に排出することができる。
【発明を実施するための最良の形態】
【００３２】
以下、図面に示す本発明を実施するための最良の形態により、本発明を詳細に説明するが、本発明はこれらの例に限定されるものではない。説明に用いる図面においては、同一または同種の部分に同じ番号を付して説明を省略することがある。
【００３３】
廃棄物を可及的に減少させることができるとともに、吸湿初期の目視による吸湿効果が容易に確認でき、かつ、構造が簡単な除湿器を提供するという目的を達成するために、潮解性除湿剤と、該潮解性除湿剤を封入する包装体と、該包装体を収容する容器とからなる除湿器において、前記包装体の少なくとも一部が透湿防水性フィルムからなるとともに、前記包装体が少なくとも1個以上の角部を有する立体形状で、かつ、該包装体の少なくとも１個の角部が前記容器の底部に向けて収納されている除湿器としたことにより実現した。
【実施例】
【００３４】
以下、本発明の除湿器について、好適な実施例をあげて説明する。図１は本発明に係る除湿器の断面側面図で、図２は本発明の除湿器の平面図である。
【００３５】
図１及び図２において、除湿器２１は、容器本体２２と、該容器本体２２内に収容された包装体２３と、該包装体２３に収容された潮解性除湿剤２４から構成されている。
【００３６】
前記容器本体２２は、円筒状で上面が開口されてなり、内部が透視可能な透明または半透明の合成樹脂材で形成されている。該容器本体２２は、後述する立体形（三角錐）に形成されている包装体２３の少なくとも１個の角部２９を該容器本体２２の底部３０に向けて垂下させ、かつ、該包装体２３の残りの部分を該容器本体２２の上面開口部分に取り付け、容器本体２２内に包装体２３を収納保持できる構造になっている。
【００３７】
なお、容器本体２２の形状は、円筒状に限らず、角筒、三角筒、深皿状、浅皿状等、種々の形態をとることも可能で、容器本体２２の肉厚は、その容器形状が保持できる程度の薄い厚さにして形成すればよい。また、容器本体２２に従来の除湿器の構造と同じように、複数の通気孔を有する蓋体を上面開口部分に被せてもよい。
【００３８】
前記容器本体２２の成形方法は、射出成形法、中空成形法、真空成形法等の手段を任意に選択でき、特に限定されるものではない。しかし、容器本体２２の肉厚を薄くしたり、透明性をよくしたりする場合は真空成形法が最適である。また、例えば、熱可塑性のプラスチックシートをプラグに挟み、シートの両面または片面から加熱軟化させたものを、多くの小孔のある凸型または凹型の金型の上に載せ、型の反対側から小孔を通して空気を抜き、シートを金型に密着せしめた後、冷却して取り出す真空成形法や、該真空成形法と中空成形との中間的なもので、加熱軟化させたシートを真空成形する代わりに圧縮空気で吹き込み成形する圧空成形法等を用いてもよい。
【００３９】
また、図３の斜視図に示す前記包装体２３は、三角錐をした立体形に形成されている形状の包装体であり、湿気を外部から内部に透過させる透湿防水性フィルムと、内部を肉眼で透視することができ、かつ、液体を通さない非透湿性フィルムとから形成されている。前記包装体２３は少なくとも１つ以上の角部を有する立体形状であれば良く、三角錐、四角錐、立方体、直方体等の立体形状の包装体が好ましい。
【００４０】
なお、前記透湿防水性フィルムとしては、微多孔性熱可塑性樹脂シートが好ましい。この微多孔性熱可塑性樹脂シートは、無機充填剤を含有した熱可塑性樹脂シートを成形後に延伸することにより製造され、微細孔が多数形成されたものである。この微多孔性熱可塑性樹脂シートの成形に用いる熱可塑性樹脂としては、ポリエチレン、ポリプロピレン等のポリオレフィン、あるいはポリ塩化ビニル、ポリエステル、ポリアミド等があげられる。この微多孔性熱可塑性樹脂シートからなる透湿防水性フィルムには、積水化学（株）製の商品名「セルポア」、徳山曹達（株）製の商品名「ＮＦシート」、ダイニック（株）製の商品名「ＮＩＳシート」、三菱化成（株）製の透湿性フィルムであるＫＴ−５０、ＬＥ−８５、ＰＡＵＦ、エクセポールＥ、三井東圧（株）製の通気性フィルムである商品名「ミューフィルムＭＰ」、日東電工（株）製の多孔質フィルム等がある。
【００４１】
前記非透湿性フィルムは、透明、かつ、非透水性フィルムで構成されている。この非透水性フィルムの材料としては、ポリエチレン、ポリプロピレン、ナイロン、ポリエステル等の樹脂フィルムの単体または複合（ラミネート）フィルムが好適である。
【００４２】
次に、前記包装体２３の製造手順の一例を図４〜図７を用いて説明する。まず図４に示すように、四角形のシートに各々裁断された透湿防水性フィルム２５と非透湿性フィルム２６を２枚用意する。この２枚のフィルム２５，２６を図５に示すように２枚重ね合わせ、かつ、３つの辺の周縁部２７，２７，２７を熱溶着してコ字状に貼り合わせて１つの辺だけが開口された袋を形成する。なお、図６は図５の矢印Ａ方向(開口部３２側)より見た側面図である。
【００４３】
次いで、図６において開口部３２を矢印Ｂ，Ｂ方向に広げ、該開口部３２から袋内に粒状の潮解性除湿剤２４を入れる。その後、図７に示すように、開口部３２の両端部分を内側（矢印Ｃ，Ｃ方向）へ互いに引いて該開口部３２の周縁部分を重ね合わせると、前記コ字状シール部分（３つの周縁部２７，２７，２７）に対して直交状態で重ね合わされる。また、この重ね合わされた開口部３２側の周縁部２７を熱溶着して封止すると、図３に示す潮解性除湿剤２４を封入させた立体形をした包装体２３が作成される。
【００４４】
なお、本実施例では、図３に示すように、立体形をした包装体２３の稜線となる周縁部２７の中間部分に、ミシン目または半切り込みによって形成される取出口切除線２８を設け、必要により該取出口切除線２８の部分で包装体２３の一部を切り裂くことができる構造になっている。そして、該取出口切除線２８の部分で包装体２３の一部を切り裂くと、該包装体２３内に溜まった除湿剤潮解液を排出させて破棄することができる。
【００４５】
前記潮解性除湿剤２４は、塩化カルシウム、塩化マグネシウム、塩化リチウム、臭化リチウム、酢酸カリウム、リン酸ナトリウム、ウルトラリン酸ナトリウム等潮解性の物質であり、特に塩化カルシウムや塩化マグネシウムが吸湿能力及び価格等の点から好ましく、また１種または２種以上混合させて使用してもよい。本実施例においては、潮解性除湿剤２４は、滴下造粒方式や空冷造粒方式等により粒状に製剤されている。
【００４６】
また、包装体２３には、潮解性除湿剤２４の他、脱臭剤や防カビ剤、防虫剤等を入れておいてもよい。その場合は、吸湿作用と同時に脱臭作用や防カビ効果、防虫効果を奏することができる。脱臭剤としては、シリカゲル、生石灰、活性アルミナ、硫酸マグネシウム、ゼオライト、活性炭、硫酸カルシウム、五酸化リン、過塩素酸マグネシウム、硫酸、木炭、マドソール等を用いうる。また、防カビ剤としては、三愛石油（株）製の商品名「ＢＣＡ」，「ＢＣＡゲル」、バイエルジャパン（株）製の商品名「ＯＰＰ」，「ペリベントールＣＭＫ」、大和化学工業（株）製の商品名「アモルデンＴＳ−１００」等を用いうる。防虫剤には、エムペントリン、パラジクロルベンゼン、ショウノウ、ナフタリン等がある。
【００４７】
このように構成された包装体２３は、容器本体２２に収納した状態、または詰替用として包装体２３単体で提供するもので、いずれの場合においても使用する前は、透湿防水性フィルム２５の表面に非透湿性シートを貼り付けて覆っておき、使用に際して該非透湿性シートを取り除いて容器本体２２にセットされる。なお、使用前、透湿防水性フィルム２５の表面に非透湿性シートを貼り付けておく代わりに、非透湿性シートで作られた袋内に包装体２３を封入しておき、使用に際して袋から取り出して容器本体２２にセットするようにしてもよい。
【００４８】
そして、包装体２３の容器本体２２へのセットは、前述したように本実施例の場合では、例えば三角錐の立体形をした包装体２３の少なくとも１個の角部２９を容器本体２２の底部３０に向けて垂下させ、残りの部分を容器本体２２の上面開口部分に取り付けて収納させる。この場合、透湿防水性フィルム２５が上面開口部分に表出し、非透湿性フィルム２６が下側に垂れ下がるようにするとよい。
【００４９】
また、容器本体２２に包装体２３をセットした後は、除湿器２１を押入、タンス等の目的箇所に設置することで、空間中の湿気が透湿防水性フィルム２５を透過して収容された潮解性除湿剤２４により吸収され、これが除湿剤潮解液となって包装体２３内に角部２９側の先端側から徐々に溜まる。また、包装体２３内が除湿剤潮解液で一杯になるか、または潮解性除湿剤２４が無くなるのを目安に、詰替用の包装体２３が取り出されて新しい包装体２３と交換される。取り出された使用済みの包装体２３は、取出口切除線２８の部分で包装体２３の一部を切り裂くと、該包装体２３内に溜まった除湿剤潮解液を外部に排出し、該包装体２３を小さなゴミの状態にして廃棄することができる。
【００５０】
したがって、この実施例による除湿器２１の構成によれば、容器本体２２から除湿剤潮解液が溜まった包装体２３だけを取り出し、ゴミとして廃棄処理することができるので、廃棄物を減らすことができる。また、除湿剤潮解液は容器本体２２の底部３０を向いている立体形状をした包装体２３の角部２９に向かって集まるので、吸湿初期の吸湿効果を目視で容易に確認することができる。
【００５１】
さらに、透湿防水性フィルムと潮解性除湿剤との距離が使用開始から使用終了まで常に近接しているので、吸湿速度を速くすることができる。
【００５２】
また、本実施例の構造では、図３に示すように、稜線となる包装体２３の周縁部２７の中間部分に、半切り込みによって形成される取出口切除線２８を設けて包装体２３の一部を切り裂くことができるように形成されているので、該取出口切除線２８の部分で包装体２３の一部を切り裂くと、該包装体２３内に溜まった除湿剤潮解液を包装体２３の外へ容易に排出することができる。
【００５３】
なお、本発明は、本発明の精神を逸脱しない限り種々の改変を為すことができ、そして、本発明が該改変されたものに及ぶことは当然である。
【００５４】
例えば、上記実施例では、図３において、包装体２３の周縁部２７の中間部分に、半切り込みによって形成される取出口切除線２８を設けているが、図８に示すように、稜線部（周縁部２７）を波形にカットして除湿剤潮解液の取出口切除線３１を形成し、該取出口切除線３１の部分で包装体２３を切り裂いて包装体２３内に溜まった除湿剤潮解液を排出するようにしてもよい。なお、図８において図３と同一符号を付している部材は図３に示す包装体と同じ部材を示している。
【００５５】
また、潮解性除湿剤２４の効力期間を目視で判るように色調変化するインジケータを付与してもよい。潮解性除湿剤２４の有効成分の吸湿状態を示すインジケータとして、色調変化する金属塩をシート表面に装着することができる。または、有効成分の吸湿状態を示すインジケータとして、色調変化する金属塩を有効成分中に配合することができる。該インジケータとしては、例えば、水分によって変色する塩化コバルト無水物、あるいは硫酸銅無水物等を使用することもできる。また、水と接触して発色または変色を起こす、ｐＨ指示薬、酸化還元指示薬、ジアゾカップリング性物質、あるいは乾燥時に不透視性を有し湿潤時に透視性を有する着色シート等も用いることができる。
【図面の簡単な説明】
【００５６】
【図１】本発明に係る除湿器の断面側面図。
【図２】本発明に係る除湿器の平面図。
【図３】本発明の除湿器における包装体の全体斜視図。
【図４】同上包装体の製造過程を説明する図で、透湿防水性フィルムと非透湿性フィルムを貼り合わせる前の状態を示す斜視図。
【図５】同上包装体の製造過程を説明する図で、透湿防水性フィルムと非透湿性フィルムにおける３つの各外周縁部を互いに貼り合わせた状態で示す斜視図。
【図６】図５に示す袋体を開口部側から見た側面図。
【図７】上包装体の製造過程を説明する図で、透湿防水性フィルムと非透湿性フィルムの残り外周縁部を貼り合わせて立体形状を形成した状態を示す側面図。
【図８】本発明を実施する包装体の稜線部に波形カットで取出口切除線を形成してなる包装体の全体斜視図。
【図９】従来の一例である除湿器の断面正面図。
【図１０】従来の他例である除湿器の断面正面図。
【符号の説明】
【００５７】
２１      除湿器
２２      容器本体
２３      包装体
２４      潮解性除湿剤
２５      透湿防水性フィルム
２６      非透湿性フィルム
２７      周縁部（稜線部）
２８      取出口切除線
２９      角部
３０      底部
３１      取出口切除線
【図１】
0005393012.tif 000002
【図２】
0005393012.tif 000003
【図３】
0005393012.tif 000004
【図４】
0005393012.tif 000005
【図５】
0005393012.tif 000006
【図６】
0005393012.tif 000007
【図７】
0005393012.tif 000008
【図８】
0005393012.tif 000009
【図９】
0005393012.tif 000010
【図１０】
0005393012.tif 000011